(57)【要約】【課題】学校の棟ごとに設備制御システムが選択され、学校内の各棟の設備の省エネを簡易に管理できる学校内教室設備の簡易管理システムを提供する。【解決手段】中央監視盤１２はその棟のＵＲＬを保有し、ＷＥＢサーバ５により通信ネットワーク１４を介してその棟のホームページを送信し、学校内の管理室１１には、管理者により各棟のＵＲＬが登録され、各中央監視盤１２のＷＥＢサーバにアクセスし、ホームページ内の所定の欄にその棟内の教室の使用予定が書き込まれる教室使用情報入力端末２が備えられ、各棟の中央監視盤１２には、予め設定された教室の時間割を記憶し、棟内の教室の使用予定を記憶する教室使用情報記憶手段４と、時間割の時限ごとの教室の使用予定を読込む教室使用情報変換手段３と、教室の使用予定に基づいて各教室の空調設備７を制御する設備制御手段６と、が設置される。【選択図】図１
2008131461.tif 000002
【特許請求の範囲】
【請求項１】
学校内の複数の棟に設置され、棟内の教室に設けられた設備を各棟共通の設備制御システムにより制御する中央監視盤と、学校内の管理室に設置され、各棟の中央監視盤と専用回線で接続され、中央監視盤を介して各棟の教室の設備を管理する中央管理装置と、を有する学校内教室設備の管理システムであって、
各棟に設置される中央監視盤は、その棟のＵＲＬを保有し、ＷＥＢサーバにより通信ネットワークを介してユーザにその棟のホームページを送信し、
学校内の管理室には、管理者により、学校内の各棟のＵＲＬが登録され、通信ネットワークを介して各中央監視盤のＷＥＢサーバにアクセスし、ホームページ内の所定の欄にその棟内の教室の使用に関する情報が書き込まれる教室使用情報入力端末が備えられ、
各棟の中央監視盤には、あらかじめ設定された教室の時間割を記憶し、その棟のホームページの時間割に書き込まれた棟内の教室の使用に関する情報を記憶する教室使用情報記憶手段と、
教室使用情報記憶手段に記憶された、棟内の教室の使用に関する情報が書き込まれた時間割を、設備の制御情報に変換する教室使用情報変換手段と、
教室使用情報変換手段により変換された設備の制御情報に基づいて各教室の設備を制御する設備制御手段と、が備えられ、
中央監視盤のＵＲＬが教室情報入力端末に登録されることで、棟ごとに選択された設備制御システムを設定し、追加し及び変更することが可能であることを特徴とする学校内教室設備の簡易管理システム。
【請求項２】
請求項１に記載の学校内教室設備の簡易管理システムにおいて、設備制御システムは空調制御システムであり、教室使用情報変換手段は、教室使用情報記憶手段に記憶された時間割を教室の空調に関する制御情報に変換し、設備制御手段は、教室使用情報変換手段により変換された教室の空調の制御情報に基づいて各教室の空調設備を制御することを特徴とする学校内教室設備の簡易管理システム。
【請求項３】
請求項１又は２に記載の学校内教室設備の簡易管理システムにおいて、棟内の教室の使用に関する情報は時限ごとの教室の使用予定であり、設備制御手段は、教室の使用予定が無い場合には、その教室の空調設備に対してその時限の間に所定の間隔で空調をＯＦＦにする信号を送信し、教室の使用予定が有る場合には、空調設備に対してその時限の間の空調をＯＮにする信号を送信することを特徴とする学校内教室設備の簡易管理システム。
【請求項４】
請求項３に記載の学校内教室設備の簡易管理システムにおいて、管理者が、教室使用情報入力端末に設定されたブックマーク機能を用いて中央監視盤のＷＥＢサーバのＵＲＬをお気に入りとして選択することでその棟の空調制御システムが登録され、ブックマークのポップアップ画面に表示されたその棟を表す部分をクリックすることで、棟内の教室の使用予定が書き込み可能となることを特徴とする学校内教室設備の簡易管理システム。
【請求項５】
請求項３に記載の学校内教室設備の簡易管理システムにおいて、教室情報入力端末の画面上に作成された選択画面に棟を表示する領域が設定されることで、その棟の空調制御システムが登録され、選択画面上の棟を表示する領域をクリックすることで、棟内の教室の使用予定が書き込み可能となることを特徴とする学校内教室設備の簡易管理システム。
【請求項６】
請求項３に記載の学校内教室設備の簡易管理システムにおいて、教室情報入力端末の画面上に作成された構内配置図に棟の位置を示す領域が設定されることで、その棟の空調制御システムが登録され、構内配置図上の棟の位置を表示する領域をクリックすることで、棟内の教室の使用予定が書き込み可能となることを特徴とする学校内教室設備の簡易管理システム。
【請求項７】
請求項１乃至６のいずれか１に記載の学校内教室設備の簡易管理システムにおいて、複数の教室使用情報入力端末から、いずれかの棟のホームページ内の所定の欄にその棟内の教室の使用予定の書き込みが可能であり、空調制御情報記憶手段は、新たな書き込みのたびに教室の使用予定を更新して記憶することを特徴とする学校内教室設備の簡易管理システム。
【請求項８】
請求項１乃至７のいずれか１に記載の学校内教室設備の簡易管理システムにおいて、教室使用情報入力端末は、あらかじめ設定された個人認証が管理者により入力されることで、ホームページ内の所定の欄にその棟内の教室の使用予定の書き込みを許可することを特徴とする学校内教室設備の簡易管理システム。
【請求項９】
請求項１乃至８のいずれか１に記載の学校内教室設備の簡易管理システムにおいて、管理者は、管理室に設置された教室使用情報入力端末以外の端末から通信ネットワークを介して各棟の中央監視盤のＷＥＢサーバにアクセス可能であり、個人認証の入力により、各棟のホームページ内の所定の欄にその棟内の教室の使用予定の書き込みが可能であることを特徴とする学校内教室設備の簡易管理システム。
【発明の詳細な説明】
【技術分野】
【０００１】
本発明は、学校内教室設備の簡易管理システムに係り、特に、学校内の複数の棟に設置され、棟内の教室に設けられた設備を各棟共通の設備制御システムにより制御する中央監視盤と、学校内の管理室に設置され、各棟の中央監視盤と専用回線で接続され、中央監視盤を介して各棟の教室の設備を管理する中央管理装置とを有する学校内教室設備の簡易管理システムに関する。
【背景技術】
【０００２】
本明細書でいう「学校」には、例えば、大学、専門学校、高等学校、中学校、小学校、公共機関や企業の研修所、或いは公共機関や企業の研究施設が含まれ、これら全ての教育機関の施設を学校として総称する。これらの学校では、学校内に複数の教室を保有し、それらの教室を使用して授業が行われる。教室は、授業に限らず、例えば、学園祭でのイベント、国内学会、国際学会、セミナー、研修会、展示会など多様な用途にも使用される。本発明では、学校内に設けられてこれらの用途に使用される室を「教室」という。また、学校は、その学校内に複数の校舎を備え、例えば、学部、学科、類、学年、研究分野などにより分離して配置されている。本発明における「棟」とは、学校内に分離されて配置されたこれらの校舎をいうが、それぞれの校舎が空気調和（以下、空調と称する）設備のユニットとして分割されている場合にはそのユニットを「棟」と称する。
【０００３】
一般に、学校の各教室には空調、照明といった設備が設置されている。これらの設備は、各棟内に設けられた中央監視盤により管理される。また、学校内の管理室には、学校内全体の教室の設備を管理する中央管理装置（いわゆる群管理センター）により管理される。この場合には、中央管理装置は専用端末を備え、専用回線により各棟の中央監視盤と接続される。そして、この管理網により、設備の故障などの警報の発報、設備の省エネ管理等が行われる。
【０００４】
一般的に、設備の管理網を構築する場合には、設備やそれを制御し管理する中央監視盤、中央管理装置等は、一つの設備制御システムに基づき構成される。これは、設備は、その設備制御システムが異なる場合には制御方法が異なり、中央管理装置等における一括管理が難しいからである。また、相互に接続される中央監視盤及び中央監視装置のインターフェースが同一の設備制御システムでなければ機能しない場合が多いからである。ここで、設備制御システムとは、空調、照明といった設備の制御方法に関し、各設備メーカーにより独自に提案され、各設備メーカーの機器に独自に採用されているシステムをいう。
【０００５】
また、中央管理装置は、その内部の制御システム（いわゆる、コントローラ）を備え、各ユーザがどの中央監視盤に対してアクセス可能かをマトリックスにより管理して割り振るのが一般的である。
【０００６】
一方、特許文献１には、携帯電話を利用した建物内設備制御システムが開示されている。ここでは、構内電話回線を使用した居室内の携帯電話との通信結果に従った利用者の居室内の在／不在に基づき、設備管理制御装置が、設備動作スケジュールにおいて設備オン期間であっても利用者が不在時には設備をオフとする。
【０００７】
【特許文献１】特開２００５−３５４２９３号公報
【発明の開示】
【発明が解決しようとする課題】
【０００８】
上述したように、空調、照明といった設備の管理網を構成する場合には、設備機器やそれを制御し管理する中央監視盤、中央管理装置等は、一つの設備制御システムに統一されるのが一般的である。しかし、学校の公共性から、学校内の設備を一つの設備制御システムに統一することは好ましくない。これは、学校は、その設備の導入やメンテナンスに関してオープンにすることが社会的な通念となっているからである。
【０００９】
また、この公共性に基づき学校の棟ごと（すなわち、設備に関するユニットごと）に異なる設備制御システムとすることは、中央管理装置にそれぞれ異なるインターフェースを設けなければならず、複雑なシステムとなり現実的ではない。一方、棟ごとに異なる設備制御システムとし、棟ごとに設けられた中央監視盤により個別に管理することは、学校全体の設備管理が煩雑となり経費がかかるという問題がある。
【００１０】
また、中央管理装置が、その内部の制御システム（いわゆる、コントローラ）を備え、各ユーザがどの中央監視盤に対してアクセス可能かをマトリックスにより管理して割り振る方式は、システムの構築及びそのメンテナンスが複雑化するという問題がある。
【００１１】
上述したように、学校の教室の設備をその使用予定の有無によりスケジュール管理することは、学校にとって設備の省エネ効果が大きい。しかし、教室を使用する教官或いは生徒等が設備のＯＮ／ＯＦＦを行うことは期待できない。これは、通常のオフィスや工場においては、設備が設置された室は特定の使用者により終日使用されることが多いため設備のＯＮ／ＯＦＦによる省エネ効果が期待できるが、学校の教室では、不特定の使用者に使用されるため、それは期待できないからである。また、学校の職員が授業のたびに設備のＯＮ／ＯＦＦ行うことは業務の負担が増加するため難しい。
【００１２】
本願の目的は、かかる課題を解決し、学校内の各棟の設備の省エネを簡易に管理できる学校内教室設備の簡易管理システムを提供することである。
【課題を解決するための手段】
【００１３】
上記目的を達成するため、本発明に係る学校内教室設備の簡易管理システムは、学校内の複数の棟に設置され、棟内の教室に設けられた設備を各棟共通の設備制御システムにより制御する中央監視盤と、学校内の管理室に設置され、各棟の中央監視盤と専用回線で接続され、中央監視盤を介して各棟の教室の設備を管理する中央管理装置と、を有する学校内教室設備の管理システムであって、各棟に設置される中央監視盤は、その棟のＵＲＬを保有し、ＷＥＢサーバにより通信ネットワークを介してユーザにその棟のホームページを送信し、学校内の管理室には、管理者により、学校内の各棟のＵＲＬが登録され、通信ネットワークを介して各中央監視盤のＷＥＢサーバにアクセスし、ホームページ内の所定の欄にその棟内の教室の使用に関する情報が書き込まれる教室使用情報入力端末が備えられ、各棟の中央監視盤には、あらかじめ設定された教室の時間割を記憶し、その棟のホームページの時間割に書き込まれた棟内の教室の使用に関する情報を記憶する教室使用情報記憶手段と、教室使用情報記憶手段に記憶された、棟内の教室の使用に関する情報が書き込まれた時間割を、設備の制御情報に変換する教室使用情報変換手段と、教室使用情報変換手段により変換された設備の制御情報に基づいて各教室の設備を制御する設備制御手段と、が備えられ、中央監視盤のＵＲＬが教室情報入力端末に登録されることで、棟ごとに選択された設備制御システムを設定し、追加し及び変更することが可能であることを特徴とする。
【００１４】
また、学校内教室設備の簡易管理システムは、設備制御システムが空調制御システムであり、教室使用情報変換手段が、教室使用情報記憶手段に記憶された時間割を教室の空調に関する制御情報に変換し、設備制御手段が、教室使用情報変換手段により変換された教室の空調の制御情報に基づいて各教室の空調設備を制御することが好ましい。
【００１５】
また、学校内教室設備の簡易管理システムは、棟内の教室の使用に関する情報は時限ごとの教室の使用予定であり、設備制御手段が、教室の使用予定が無い場合には、その教室の空調設備に対してその時限の間に所定の間隔で空調をＯＦＦにする信号を送信し、教室の使用予定が有る場合には、空調設備に対してその時限の間の空調をＯＮにする信号を送信することが好ましい。
【００１６】
また、学校内教室設備の簡易管理システムは、管理者が、教室使用情報入力端末に設定されたブックマーク機能を用いて中央監視盤のＷＥＢサーバのＵＲＬをお気に入りとして選択することでその棟の空調制御システムが登録され、ブックマークのポップアップ画面に表示されたその棟を表す部分をクリックすることで、棟内の教室の使用予定が書き込み可能となることが好ましい。
【００１７】
また、学校内教室設備の簡易管理システムは、教室情報入力端末の画面上に作成された選択画面に棟を表示する領域が設定されることで、その棟の空調制御システムが登録され、選択画面上の棟を表示する領域をクリックすることで、棟内の教室の使用予定が書き込み可能となることが好ましい。
【００１８】
また、学校内教室設備の簡易管理システムは、教室情報入力端末の画面上に作成された構内配置図に棟の位置を示す領域が設定されることで、その棟の空調制御システムが登録され、構内配置図上の棟の位置を表示する領域をクリックすることで、棟内の教室の使用予定が書き込み可能となることが好ましい。
【００１９】
また、学校内教室設備の簡易管理システムは、複数の教室使用情報入力端末から、いずれかの棟のホームページ内の所定の欄にその棟内の教室の使用予定の書き込みが可能であり、教室使用情報変換手段が、新たな書き込みのたびに教室の使用予定を更新することが好ましい。
【００２０】
また、学校内教室設備の簡易管理システムは、教室使用情報入力端末が、あらかじめ設定された個人認証が管理者により入力されることで、ホームページ内の所定の欄にその棟内の教室の使用予定の書き込みを許可することが好ましい。
【００２１】
また、学校内教室設備の簡易管理システムは、管理者が、管理室に設置された教室使用情報入力端末以外の端末から通信ネットワークを介して各棟の中央監視盤のＷＥＢサーバにアクセス可能であり、個人認証の入力により、各棟のホームページ内の所定の欄にその棟内の教室の使用予定の書き込みが可能であることが好ましい。
【発明の効果】
【００２２】
上記構成により、学校内教室設備の簡易管理システムは、各棟に設置される中央監視盤はその棟のＵＲＬを保有する。そして、中央監視盤は、インターネット又はイントラネットである通信ネットワークを介してユーザ（クライアント）にその棟のホームページを送信するＷＥＢサーバを有する。また、学校内の管理室には、各棟のホームページが登録され、通信ネットワークと接続して各棟のホームページのＷＥＢサーバにアクセスし、ホームページ内の所定の欄にその棟内の教室の使用に関する情報が書き込まれる教室使用情報入力端末が設置される。これらの構成により、各棟の設備制御システムは、設備の一括管理を行う管理室の教室使用情報入力端末と通信ネットワークを介した各棟のＷＥＢサーバとの接続により管理される。さらに、その棟内の教室の使用に関する情報は、管理者により各棟のホームページの所定の欄に書き込まれることで伝達される。従って、各棟の中央監視盤及び設備が、それぞれ選択された設備制御システムであっても相互に独立に機能し、中央管理装置への接続の際の複雑なインターフェースを要しない。その結果、棟ごとに設備制御システムを選択して設定することができ、選択された設備制御システムは追加したり変更したりすることが可能となる。
【００２３】
また、学校内教室設備の簡易管理システムは、各棟が、教室使用情報入力端末から入力された棟内の教室の使用に関する情報を記憶する空調制御情報記憶手段と、その情報を教室の設備の制御情報に変換する教室使用情報変換手段と、設備を制御する設備制御手段とを有する。これらの構成により、管理者は、管理室の教室使用情報入力端末からその棟内の教室の使用に関する情報を、各棟のホームページの所定の欄に書き込むだけで良い。このことから、従来の中央管理装置（群管理センター）を省略し、学校内の全棟の設備の省エネを教室使用情報入力端末により簡易に管理することが可能となる。
【００２４】
以上のように、本発明に係る学校内教室設備の簡易管理システムによれば、学校の棟ごとに設備制御システムが選択でき、選択された設備制御システムが容易に追加及び変更できることから、学校内の各棟の設備の省エネを簡易に管理することが可能となる。
【発明を実施するための最良の形態】
【００２５】
以下に、図面を用いて本発明に係る学校内教室設備の簡易管理システムの実施形態につき、詳細に説明する。
【００２６】
図１に、学校内教室設備の簡易管理システムの１つの実施形態の概略構成を示す。本実施形態では、学校内の教室の空調設備７についての学校内教室設備の簡易管理システム１を説明する。しかし、この学校内教室設備の簡易管理システム１は、教室の照明設備についても適用可能であり、教室の空調設備７及び照明設備を組み合わせた学校内教室設備の簡易管理システム１であっても良い。
【００２７】
まず、学校内教室設備の簡易管理システム１の構成を説明する。学校内の複数の棟１０（棟１０Ａ及び棟１０Ｂ）の各教室にはそれぞれ複数の空調設備７Ａ，７Ｂ、及びこれらの空調設備７Ａ，７Ｂを制御する中央監視盤１２Ａ，１２Ｂが設置される。図１では、棟１０については、一例として２棟の場合を示し、空調設備７Ａ，７Ｂについては、一例として各３台の場合を示す。中央監視盤１２Ａ，１２ＢのＷＥＢサーバ５Ａ，５Ｂには、それぞれ、教室使用情報変換手段３Ａ，３Ｂ、教室使用情報記憶手段４Ａ，４Ｂが設けられる。さらに、中央監視盤１２Ａ，１２Ｂには設備制御手段６Ａ，６Ｂが設けられる。また、複数の管理室１１Ａ，１１Ｂには、それぞれ教室使用情報入力端末２Ａ，２Ｂが設けられる。本実施の形態では、教室使用情報変換手段３及び教室使用情報記憶手段４は、ＷＥＢサーバ５内に設けられるが、中央監視盤１２内にＷＥＢサーバ５とは別個に設けられても良い。
【００２８】
中央監視盤１２に設けられたＷＥＢサーバ５には、その中央監視盤１２のホームページが作成される。このＷＥＢサーバ５は、通信ネットワーク１４と接続し、ユーザ（クライアント）に棟１０のホームページを提供する。ここで、通信ネットワーク１４とは、インターネット及び学校内のイントラネットの双方を含む。従って、一般のポータルサイトからこのＷＥＢサーバ５にアクセスし、中央監視盤１２のホームページをダウンロードすることができる。しかし、中央監視盤１２のホームページ内にアクセスし書き込みをするには、例えば、予め設定された個人認証を入力してアクセスの許可を受けなければならない。従って、ホームページへは、個人認証により限定された管理者のみがアクセスできる。個人認証には、ユーザＩＤ及びパスワードのほか、ＩＤカード、バイオメトリックスなど個人を確認できる手段が含まれる。
【００２９】
教室使用情報入力端末２は、学校内の管理者が専用に使用するパーソナル・コンピュータであり、学校の管理室１１等の所定の室に設置される。管理者とは、学校内の教室の使用に関して管理する者をいい、例えば、学校内の事務員や教員等である。管理室１１とは、管理者により教室の使用予定が入力される場所であり、例えば、学校の管理棟内の事務管理室である。また、大学の場合には学部内の事務室又は教官室に設置されても良い。管理者は、教室使用情報入力端末２を用いて各棟１０のＵＲＬを登録する。ここで、ＵＲＬとは、Ｕｎｉｆｏｒｍ  Ｒｅｓｏｕｒｃｅ  Ｌｏｃａｔｏｒの略であり、インターネット上における情報の「アドレス」を示す記述方式をいう。そして、通信ネットワーク１４と接続して各棟１０のホームページのＷＥＢサーバ５にアクセスし、管理者は、各中央監視盤１２のホームページをダウンロードし、ユーザＩＤ及びパスワードといった個人認証を入力することでホームページ内にアクセスする。このように、各棟１０の中央監視盤１２は、管理者により教室使用情報入力端末２を用いて通信ネットワーク１４を経由して登録される。従って、従来のように、中央管理装置により各棟１０の中央監視盤１２を専用回線で接続する必要がない。
【００３０】
図１に示すように、本実施形態では、教室使用情報入力端末２は複数箇所に設置され、複数の棟１０の教室の使用予定が入力される。これは、例えば、管理室１１が棟１０ごとにある場合に、基本的にはその棟１０の教室の使用予定はその棟１０の管理室１１の管理者により入力されるが、棟１０の教室は相互に融通し合い、他の棟１０の教室も使用される場合があるからである。また、管理者である事務員が入力した教室の使用予定を教官が後に訂正する場合もある。従って、異なる教室使用情報入力端末２から、特定の棟１０の特定の教室の使用予定が重複して入力される場合がある。その場合には、後に入力した使用予定が優先され、先に入力した使用予定は後に入力された使用予定に更新される。
【００３１】
ＷＥＢサーバ５は、通信ネットワーク１４と接続し、ユーザ（クライアント）に棟１０のホームページを提供する。従って、管理者は、個人認証の入力により、管理室１１に設置された教室使用情報入力端末２以外の端末から通信ネットワーク１４を介して各棟の中央監視盤１２のＷＥＢサーバ５にアクセス可能である。つまり、管理者は、学校内の他の端末からもアクセスでき、学校外の自宅のパーソナル・コンピュータからもアクセスできる。すなわち、本発明のように通信ネットワーク１４を利用することで、管理者は、個人認証を入力さえすれば、端末の場所又は時間の如何にかかわらず各棟のホームページ内の所定の欄にその棟内の教室の使用予定の書き込みが可能となる。
【００３２】
図２に、教室使用情報入力端末２における登録についての一つの実施例を示す。この実施例では、プラウザで標準的に実装されているブックマーク機能を用いて登録する。本実施例では、教室使用情報入力端末２に設定されたブックマーク機能を用いて中央監視盤１２のＷＥＢサーバ５のＵＲＬを追加することでその棟１０の空調制御システムが登録される。図２は、コンピュータ画面上でブックマーク機能を選択した場合を示す。ブックマーク機能とは、「お気に入り」とも称され、頻繁にダウンロードするホームページのＵＲＬを登録し、簡易にダウンロードすることが可能な機能である。各棟１０の中央監視盤１２は、それぞれＵＲＬを保有している。この各棟１０のＵＲＬをブックマーク機能に登録することで、管理者が、容易に各中央監視盤１２のホームページにアクセスすることができる。また、画面上の「ブックマーク（Ｂ）」をクリックすると、登録された各棟１０の名称がポップアップ画面に表示される。管理者により、ポップアップ画面内の棟１０の名称をクリックすることで、ログインされてその棟１０のホームページが画面に表示される。
【００３３】
図３に、教室使用情報入力端末２における登録についての他の実施例を示す。この実施例では、教室使用情報入力端末２の画面上に作成されたメニュー選択画面にその棟１０の名称を表示した選択領域を設定することでその棟１０の空調制御システムが登録される。そして、設定されたその棟１０の名称を表す領域内をマウスによりクリックすると、ログインされてその棟１０のホームページが画面に表示される。このメニュー選択画面は、タッチパネルであっても良い。その場合、画面上の各棟１０の名称を表す特定の領域内にタッチすると、そのタッチされた画面内の座標が認識され、その座標が示す棟１０のホームページのＵＲＬが選択されて画面に表示される。本実施形態では、図３に示すように、各棟１０は、棟１０の名称を表す領域により表示されるが、この表示方法に限らず、例えば棟１０の名称の記載の先頭に設けられた四角い欄（ボックス欄）であっても良い。
【００３４】
図４に、教室使用情報入力端末２における登録についての他の実施例を示す。この実施例では、教室使用情報入力端末２の画面上に作成されたメニュー選択画面にその学校の構内配置図が表示される。この構内配置図内に表示されたその棟１０の位置及び形状を表す選択領域を設定することでその棟１０の空調制御システムが登録される。そして、設定されたその棟１０の位置及び形状を表す領域内をマウスによりクリックすると、ログインされてその棟１０のホームページが画面に表示される。このメニュー選択画面は、タッチパネルであっても良い。その場合、画面上の各棟１０の位置及び形状を表す特定の領域内にタッチすると、そのタッチされた画面内の座標が認識され、その座標が示す棟１０のホームページのＵＲＬが選択されて画面に表示される。本実施形態では、図４に示すように、各棟１０は、構内配置図内にその建物の平面の外形線により表示されるが、この表示方法に限らず、例えば単に棟１０の位置を示すマークであっても良い。
【００３５】
教室使用情報記憶手段４は、あらかじめ設定された教室の時限に関する時間割を記憶する。この時間割とは、学校のカレンダー（年間スケジュール）、昼休み及び各時限の開始時間及び終了時間等の時限設定に基づく基本スケジュールを棟内の教室ごとに作成した時間割をいう。教室使用情報記憶手段４には、まず学校のカレンダー（年間スケジュール）が登録される。図５に、登録された学校のカレンダーの１つの実施例を示す。カレンダーには、日時を指定した日種の指定と期間の指定がある。日種の指定とは、カレンダー上の曜日とは別に休日や学校固有の例えば記念日、学園祭などの特定日を指定することをいう。また、機関の指定とは、学期や長期休暇などの開始日と終了日で特定される連続した休暇日を指定することをいう。図５に示すある年のある月のカレンダーに対して、休日及び長期休暇の予定日を登録する。
【００３６】
また、教室使用情報記憶手段４は、昼休み及び各時限の開始時間及び終了時間等の時限設定及びその棟１０の空調設備７のある教室を登録する。この教室の設定では、教室名とその教室に設置される空調設備７とが関連付けられて登録される。図６及び図７に、棟内の登録された教室及び１日の時間割の一例を示す。図６では、各教室（１００〜３０２）の昼休み及び１時限から７時限のそれぞれの開始時間と終了時間が設定されている。また、図７では、ある教室（２０５）の１週間単位での昼休み及び１時限から７時限のそれぞれの開始時間と終了時間が設定されている。
【００３７】
この教室ごとの基本スケジュールは、原則として学校内の全ての棟１０について共通の基本スケジュールとなる。この基本スケジュールは、あらかじめ各棟１０の教室使用情報記憶手段４において共有される。この基本スケジュールは、学校の管理室１１で作成され各棟１０の中央監視盤１２へ通信ネットワーク１４を介して送信され、それぞれの教室使用情報記憶手段４にダウンロードされる。さらに、ある棟１０に関して固有な特定日や休暇日、又は時限設定がある場合には、棟１０ごとに追加して指定される。複数の棟１０において、この固有な特定日や休暇日、又は時限設定が共通する場合には、ある棟１０の中央監視盤１２から、他の棟１０の中央監視盤１２へ通信ネットワーク１４を介して送信され、それぞれの教室使用情報記憶手段４にダウンロードされる。
【００３８】
管理者は、教室使用情報入力端末２を用いて中央監視盤１２に登録された各棟１０のＵＲＬを選択することで各棟１０のホームページにログインする。このログインにより、図６及び図７に示す基本スケジュールが画面に表示される。管理者は、この所定の欄に教室の使用予定を書き込み、実施スケジュールを作成する。本実施形態では、図６及び図７に示すように、教室の使用予定がある場合にはその該当する欄をマウスによりクリックして丸印を表示させる。また、教室の使用予定がない場合にはその該当する欄を空欄のままにしておく。すでに丸印が表示されている欄を変更する場合には、その欄を再度クリックして丸印を消滅させ空欄とする。この基本スケジュールの欄はタッチパネルであっても良い。この場合、画面上の各欄にタッチすると、そのタッチされた画面内の座標が認識され、その座標が示す棟１０のホームページが選択されて画面に表示される。
【００３９】
管理者は、教室の使用予定が変更になった場合には、再度、教室使用情報入力端末２を用いて、中央監視盤１２のホームページにアクセスする。中央監視盤１２のホームページには、教室使用情報記憶手段４により記憶されている、その教室の実施スケジュールが表示される。本実施形態では、この実施スケジュールへの変更は、当日分及び翌日分について可能なように設定される。管理者は、この実施スケジュールの教室の使用予定を上述したように変更する。この教室使用情報入力端末２により書き込まれた各室の空調設備７のＯＮ／ＯＦＦ情報は、教室使用情報記憶手段４が登録した、昼休み及び各時限の開始時間及び終了時間等の時限設定及びその棟１０の空調設備７のある教室に当てはめられ、実施スケジュールが作成される。図６及び図７は、この実施スケジュールの１つの実施例である。
【００４０】
この教室の使用予定の変更は、「後押し優先」の原則に従う。すなわち、入力した管理者が同一の者か異なる者かにかかわらず、後から変更した実施スケジュールが優先され、前の実施スケジュールは更新されて教室使用情報記憶手段４に記憶される。
【００４１】
教室使用情報変換手段３は、教室使用情報記憶手段４に記憶された、棟内の教室の使用に関する情報が書き込まれた時間割を、各空調設備７の制御情報に変換する。すなわち、教室使用情報記憶手段４に記憶された棟内の教室の使用予定を示す各欄がクリックされたか否かを識別する。この棟内の教室の使用予定を示す各欄の初期値は空欄（教室の使用予定がない）であり、教室使用情報変換手段３は、クリックがされなければ空調設備７をＯＦＦにする指令と認識する。また、棟内の教室の使用予定を示す各欄がクリックされるとその信号により教室使用情報変換手段３は、空調設備７をＯＮにするものと認識する。その後の変更については、その欄がクリックされるたびに受信する信号からＯＮ及びＯＦＦの指令を交互に認識する。そして、教室使用情報変換手段３は、これらの空調設備７のＯＮ／ＯＦＦ指令を設備制御手段６に送信する。このように、教室使用情報変換手段３は、ホームページに書き込まれた情報を、設備制御手段６へ認識させるためのインターフェースとしての役割を有する。
【００４２】
設備制御手段６は、教室使用情報変換手段３により変換された空調設備７のＯＮ／ＯＦＦ指令に基づき、各教室の空調設備７のＯＮ／ＯＦＦを制御する。本実施形態では、空調設備７のＯＮ／ＯＦＦ情報について教室使用情報入力端末２から入力されるが、このＯＮ／ＯＦＦ情報以外に、例えば空調設備７の設定温度についての情報も追加されて入力されても良い。また、各棟１０の設備制御手段６は、その空調制御システムに基づき、各教室の空調設備７のＯＮ／ＯＦＦ制御以外の省エネ制御、例えば設定温度の最適化などを個別に行っても良い。
【００４３】
図８に、中央監視盤１２の設備制御手段６による空調設備７のＯＮ／ＯＦＦ制御手段を示す。中央監視盤１２には、設備制御手段６、タイマ１５及びメモリ１６が設けられる。各空調設備７には、それぞれ空調設備ＯＮ／ＯＦＦ制御部１７が設けられる。設備制御手段６は、教室の使用予定に合わせた複数のＯＮ／ＯＦＦ回路で空調制御する。すなわち、本実施形態では、図９（ｂ）に示すように、教室の空調のＯＮ／ＯＦＦ制御をすべき時限数は７である。従って、通常のオフィス等で用いられるＯＮ／ＯＦＦ制御ユニット（Ｑ）を４台（Ｑ１〜Ｑ４）採用する。１つのＯＮ／ＯＦＦ制御ユニット（Ｑ）は、空調設備７に対してＯＮ動作を指示する信号を発信する回路と、ＯＦＦ動作を指示する信号を発信する回路とが組み合わされている。そして、１日のうちに、１つのＯＮ／ＯＦＦ制御ユニット（Ｑ）により２回のＯＮ／ＯＦＦ動作を空調設備７に対して指示する。これは、図９（ａ）に示すように、通常のオフィス等において、午前と午後の２回のＯＮ／ＯＦＦ動作指示に相当する。つまり、この午前と午後の２回のＯＮ／ＯＦＦ動作指示の開始時間（ＯＮとする時間）と終了時間（ＯＦＦとする時間）を、教室を使用する時限の開始時間（ＯＮとする時間）と終了時間（ＯＦＦとする時間）に設定し直すことで、オフィスビル用の１つのユニットが、制御方法を変更せずにそのまま学校の教室用のユニットに用いられる。
【００４４】
図８に示すように、設備制御手段６は、メモリ１６に記憶された、各ＯＮ／ＯＦＦ制御ユニット（Ｑ）についてのＯＮ／ＯＦＦ動作指示の開始時間（ＯＮとする時間）と終了時間（ＯＦＦとする時間）に従い、タイマ１５が表示する時刻に合わせて空調設備ＯＮ／ＯＦＦ制御部１７に対して、ＯＮ／ＯＦＦ動作を指示する。空調設備ＯＮ／ＯＦＦ制御部１７は、その指示に基づき空調設備７の圧縮機１８、電動ファン１９、センサ２０、その他の機器類に対してＯＮモード又はＯＦＦモードを設定する。
【図面の簡単な説明】
【００４５】
【図１】本発明に係る学校内教室設備の簡易管理システムの１つの実施形態の概略構成を示す図である。
【図２】教室使用情報入力端末における登録についての１つの実施例を示す説明図である。
【図３】教室使用情報入力端末における登録についての他の実施例を示す説明図である。
【図４】教室使用情報入力端末における登録についての他の実施例を示す説明図である。
【図５】登録された学校のカレンダーの１つの実施例を示す説明図である。
【図６】ホームページに表示される基本スケジュール及び実施スケジュールの１つの実施例である。
【図７】ホームページに表示される基本スケジュール及び実施スケジュールの１つの実施例である。
【図８】中央監視盤の設備制御手段による空調設備の空調のＯＮ／ＯＦＦ制御方法を示す説明図である。
【図９】通常のオフィス等で用いられるＯＮ／ＯＦＦ制御、及び教室の空調のＯＮ／ＯＦＦ制御を示す説明図である。
【符号の説明】
【００４６】
１  学校内教室設備の簡易管理システム、２  教室使用情報入力端末、３  教室使用情報変換手段、４  教室使用情報記憶手段、５  ＷＥＢサーバ、６  設備制御手段、７  空調設備、１０  棟、１１  管理室、１２  中央監視盤、１４  通信ネットワーク、１５  タイマ、１６  メモリ、１７  空調設備ＯＮ／ＯＦＦ制御部、１８  圧縮機、１９  電動ファン、２０  センサ。
【図１】
2008131461.tif 000003
【図２】
2008131461.tif 000004
【図６】
2008131461.tif 000005
【図７】
2008131461.tif 000006
【図８】
2008131461.tif 000007
【図３】
2008131461.tif 000008
【図４】
2008131461.tif 000009
【図５】
2008131461.tif 000010
【図９】
2008131461.tif 000011